(57)【特許請求の範囲】
【請求項１】
筒状の本体（２）と、
本体（２）の開口部（Ｐ）に設けられた口枠（１０）と、
前記口枠（１０）に間隔をあけて設けられ、案内溝（１３）が形成された第１固定隔壁（１２）および第２固定隔壁（１２）と、
前記第１および第２固定隔壁（１２）に向けて進退可能に設けられた支点部（１４ｄ）と、前記支点部（１４ｄ）から前記第１固定隔壁（１２）に向けて突出して、前記第１固定隔壁に形成された前記案内溝（１３）と係合する第１脚部（１４ａ）と、前記第２固定隔壁（１２）に形成された前記案内溝と係合する第２脚部（１４ａ）とを含み、弾性変形可能な部材により形成された隔壁部（１４）と、
を備え、
前記第１脚部（１４ａ）は、前記第１固定隔壁の前記案内溝（１３）と係合すると共に、前記案内溝（１３）内を移動可能な第１凸部（１４ｃ）を含み、
前記第２脚部（１４ａ）は、前記第２固定隔壁の前記案内溝（１３）と係合すると共に、前記案内溝（１３）内を移動可能な第２凸部（１４ｃ）を含み、
前記隔壁部（１４）は、前記支点部（１４ｄ）が前記第１および第２固定隔壁（１２）から退避した第１状態においては、第１収納領域（Ｐ４）と第２収納領域（Ｐ２）とを区画するが、前記支点部（１４ｄ）を前記第１および第２固定隔壁（１２）に近接させた第２状態においては、前記第２収納領域（Ｐ２）が前記第１収納領域（Ｐ４）に組み込まれるように変形可能とされた、ゴルフバッグ（１）。
【請求項２】
前記第１固定隔壁および前記第２固定隔壁（１２）は、前記口枠（１０）に固定され、前記第２収納領域（Ｐ２）と連通する第３収納領域（Ｐ１）を区画し、
前記第２状態において、前記第１脚部（１４ａ）は、前記第１固定隔壁（１２）の下面側に延在し、前記第２脚部（１４ａ）は、前記第２固定隔壁（１２）の下面側に延在する、請求項１に記載のゴルフバッグ（１）。
【請求項３】
前記第２収納領域（Ｐ２）にゴルフクラブが収納され、前記隔壁部（１４）が前記第２状態とされることにより、前記ゴルフクラブは、前記第３収納領域（Ｐ１）に移動する、請求項２に記載のゴルフバッグ（１）。
【請求項４】
前記隔壁部（１４）は、前記口枠（１０）の内周部（１１ａ）に設けられ、前記隔壁部（１４）の一部は、前記内周部（１１ａ）に沿うように、変形可能である、請求項１に記載のゴルフバッグ（１）。
【発明の詳細な説明】
【技術分野】
【０００１】
本発明は、ゴルフバッグに関し、特に、一部の収納領域が他の収納領域に組み込むことが可能なゴルフバッグに関する。
【背景技術】
【０００２】
一般に、ゴルフバッグは、ウッド、アイアンあるいはパターなどの複数のゴルフクラブが収納される。この従来のゴルフバッグは、開口部を複数の収納領域に仕切る仕切り部材を有し、ゴルフクラブは、各種類ごとに、各収納領域に収納される。そして、ゴルフバッグに収納するゴルフクラブの種類および本数に合わせて、仕切り部材で仕切られている収容口の大きさを変更できるゴルフバッグが提案されている（下記特許文献１参照）。
【特許文献１】特開２００４−８１２９７号公報
【発明の開示】
【発明が解決しようとする課題】
【０００３】
近年、パターのヘッドが大型化している。このため、パターをどの収納領域に収納したとしても、パターが収納された収納領域では、ゴルフクラブが密集した状態となる。このため、ゴルフバッグを持ち運びする際や、乗用カートに乗せて搬送する際等において、ゴルフクラブ同士が衝突して、損傷するという問題があった。ここで、上記特開２００４−８１２９７号公報に記載されたゴルフバッグにおいて、パターが収納される収納領域が大きくなるように仕切ることにより、パターが収納された収納領域内でゴルフクラブ同士が衝突することを抑制する方法が考えられる。
【０００４】
しかし、パターが収納される収納領域を大きく仕切ることにより、他の収納領域が狭くなり、この他の収納領域では、ゴルフクラブが過密状態となり、ゴルフクラブ同士が衝突する恐れが生じる。また、コースを周回する際には、一般に、パターは、乗用カートに設けられたパターボックス内に入れ替えられるため、コースを周回する際に、パターが収納されていた収納領域では、ゴルフクラブが過疎状態となる一方で、他の収納領域では、ゴルフクラブが過密状態となる。このため、ゴルフクラブが過密状態の収納領域からゴルフクラブを抜き差しすることが困難なものとなっている。
【０００５】
本発明は、上記の課題に鑑みてなされたものであり、その目的は、搬送時において、ゴルフクラブ同士の衝突を抑制すると共に、コースを周回する際に、ゴルフクラブの抜き差しも良好に行うことができるゴルフバッグを提供することである。
【課題を解決するための手段】
【０００６】
本発明に係るゴルフバッグは、筒状の本体と、本体の開口部に設けられた口枠と、口枠に設けられ、案内溝が形成されると共に間隔をあけて設けられた第１固定隔壁および第２固定隔壁と、第１および第２固定隔壁に向けて進退可能に設けられた支点部とを備える。上記支点部から第１固定隔壁に向けて突出して、第１固定隔壁に形成された案内溝と係合する第１脚部と、第２固定隔壁に形成された案内溝と係合する第２脚部とを含み、弾性変形可能な部材により形成された隔壁部とを備える。上記第１脚部は、第１固定隔壁の案内溝と係合すると共に、案内溝内を移動可能な第１凸部を含む。上記第２脚部は、第２固定隔壁の案内溝と係合すると共に、案内溝内を移動可能な第２凸部を含む。上記隔壁部は、支点部が第１および第２固定隔壁から退避した第１状態においては、第１収納領域と第２収納領域とを区画するが、支点部を第１および第２固定隔壁に近接させた第２状態においては、第２収納領域が第１収納領域に組み込まれるように変形可能とされる。好ましくは、第１固定隔壁および第２固定隔壁は、口枠に固定され、第２収納領域と連通する第３収納領域を区画し、第２状態において、第１脚部は、第１固定隔壁の下面側に延在し、第２脚部は、第２固定隔壁の下面側に延在する。好ましくは、第２収納領域にゴルフクラブが収納され、隔壁部が第２状態とされることにより、ゴルフクラブは、第３収納領域に移動可能とする。好ましくは、隔壁部は、口枠の内周部に設けられ、隔壁部の一部は、内周部に沿うように、変形可能とする。
【発明の効果】
【０００７】
本発明に係るゴルフバッグによれば、搬送時において、ゴルフグラブ同士の衝突を抑制することができ、コースを周回する際に、ゴルフクラブの抜き差しも良好に行うことができる。
【発明を実施するための最良の形態】
【０００８】
（実施の形態１）
図１から図５を用いて、本発明に係る実施の形態１について説明する。図１は、本実施の形態１に係るゴルフバッグの正面図である。この図１に示されるように、ゴルフバッグ１は、上端部に開口部Ｐが形成された筒状の胴体部（本体）２と、この胴体部２の正面に形成され、この胴体部２の長手方向に延在する肩掛けベルト３と、胴体部２の正面の下端部側に形成された収納部５と、胴体部２の両側面に形成された収納部６とを備えている。なお、図示されない胴体部２の背面側にも、複数の収納部が形成されている。
【０００９】
図２は、開口部Ｐに設けられた口枠１０の平面図である。この図２に示された口枠１０は、図１に示す胴体部２の開口部Ｐに設けられ、布製等の内皮により覆われている。口枠１０は、胴体部２の開口部Ｐに沿うように延びる周壁部１１と、この周壁部１１に固定され、案内溝１３が形成された２つの案内部材（固定壁部）１２と、案内部材１２より図１に示す胴体部２の背面側に配置され、一部が案内部材１２に沿うように変形可能とされた隔壁部１４と、隔壁部１４に対して案内部材１２と反対側に配置され、周壁部１１に固定された仕切り部材１５とを備えている。
【００１０】
各案内部材１２は、周壁部１１の内壁面に沿う方向に隣接するように配置されている。この各案内部材１２は、周壁部１１のうち、図１の胴体部２の正面側から開口部Ｐの内方に向けて突出している。そして、各案内部材１２は、周壁部１１側から先端部側に向かうに従って、案内部材１２間の間隔が狭くなるように延在している。そして、先端部では、互いに離間している。この案内部材１２は、周壁部１１と共に、収納領域Ｐ１を区画する。
【００１１】
この案内部材１２に形成された溝部１３は、案内部材１２に沿うように延在している。この案内溝１３の両端部は、案内溝１３の延在方向に対して屈曲して、隔壁部１４の端部を係止する係止部１３ａ，１３ｂとが形成されている。なお、係止部１３ｂは、案内溝１３の周壁部１１側の端部に形成されており、係止部１３ａは、案内溝１３の他方の端部に形成されている。そして、案内部材１２のうち、この係止部１３ａ、１３ｂの周囲に位置する部分には係止部１３ａ、１３ｂに沿うように溝部１３ｃが形成されている。
【００１２】
隔壁部１４は、弾性変形可能な部材により形成されており、たとえば、プラスチックや合成樹脂などから構成されている。隔壁部１４は、板状に形成された支点部１４ｄと、この支点部１４ｄから、図１に示す胴体部２の両側面側に向けて延在し、周壁部１１に設けられた軸部１４ｂ１を中心として回動可能に支持された脚部１４ｂと、支点部１４ｄから、案内部材１２に向けて突出して、端部が案内溝１３と係合する脚部１４ａとを備えている。脚部１４ｂは、周壁部１１に枢機構等により、周壁部１１に回動可能に設けられている一方で、脚部１４ｂの支持位置は固定されている。脚部１４ａの端部には、案内溝１３と係合し、案内溝１３内を移動可能な凸部１４ｃが形成されている。このため、隔壁部１４は、案内部材１２に向けて進退可能に設けられている。
【００１３】
隔壁部１４の第１状態においては、隔壁部１４の脚部１４ａは、案内部材１２の先端部側から、開口部Ｐの内方向けて延在している。このため、隔壁部１４は、案内部材１２の先端部より、口枠１０の内方に位置している。そして、脚部１４ａに形成された凸部１４ｃは、案内溝１３の係止部１３ａと係合しており、隔壁部１４の第１状態が維持されている。この隔壁部１４の第１状態においては、支点部１４ｄと、脚部１４ａとにより、収納領域Ｐ１より図１に示す胴体部２の背面側に収納領域Ｐ２が区画され、収納領域Ｐ１と収納領域Ｐ２とは連通状態とされている。
【００１４】
ここで、隔壁部１４と案内部材１２と周壁部１１とにより区画される収納領域Ｐ１および収納領域Ｐ２の合計の収納容量は、パターとウッドとを収納したとしても、互いのヘッド部同士が接触することを抑制することが可能な程度とされている。このため、パターをゴルフバッグ１に収納して持ち運びする際において、パターとウッドを収納領域Ｐ１および収納領域Ｐ２に収納することにより、各ヘッド部が損傷することを抑制することができる。なお、収納領域Ｐ２の収納容量は、近年のヘッドが大型化したパターを収納可能な程度とされており、収納領域Ｐ１の収納容量は、ウッドを収納可能な程度とされている。
【００１５】
そして、脚部１４ｂは、周壁部１１と、仕切り部材１５と共に、収納領域（第２収納領域）Ｐ４を区画している。この収納領域Ｐ４は、収納領域Ｐ２より、図１に示す胴体部２の背面側に形成されており、収納領域Ｐ４の収納容量は、たとえば、ロングアイアンやミドルアイアンなどを収納可能な程度とされている。
【００１６】
脚部１４ａと、脚部１４ｂとは、案内部材１２と共に、収納領域Ｐ３を区画する。収納領域Ｐ３は、収納領域Ｐ１および収納領域Ｐ２の両側面側に規定され、この収納領域Ｐ３の収納容量は、ウッドなどが収納可能な程度とされている。
【００１７】
さらに、仕切り部材１５と、周壁部１１とにより、収納領域Ｐ５が区画されている。この収納領域Ｐ５は、収納領域Ｐ４より、図１に示す胴体部２の背面側に位置している。この収納領域Ｐ５の収納容量は、ショートアイアンやウェッジ等が収納可能な程度とされている。
【００１８】
このように、隔壁部１４が案内部材１２から退避した第１状態においては、パターを収納領域Ｐ１および収納領域Ｐ２内に収納することにより、ヘッドが大型化されたパターであっても、他のゴルフクラブのヘッドと衝突することが抑制することができると共に、他の収納領域Ｐ３〜Ｐ５に収納されたゴルフクラブ同士の衝突を抑制することができる。なお、係止部１３ａの付根部においては、凸部１４ｃの幅よりも狭く形成されており、係止部１３ａと凸部１４ｃとの係合状態が解除されることが抑制されている。ここで、係止部１３ａは、各係止部１３ａ間の間隔が広くなる方向に屈曲しており、かつ、脚部１４ａは、脚部１４ａ同士間の間隔を広げる方向の内部応力を有している。このため、凸部１４ｃが係止部１３ａ内に入り込むと、凸部１４ｃは、互いに離間する方向に変位して、凸部１４ｃと係止部１３ａとの係合状態は、良好に維持される。このようにして、ゴルフバッグ１の搬送時において、隔壁部１４の第１状態を良好に維持することができる。
【００１９】
ここで、一般に、コースを周回する際には、ゴルフバッグ１は、乗用カートに乗せられて、パターは、乗用カートに設けられたパター収納ボックスなどに収められる。このように、パターをパター収納ボックス内に収納された後に、支点部１４ｄを押圧して、凸部１４ｃと、係止部１３ａとの係合状態を解除して、隔壁部１４を変形させて、隔壁部１４を第２状態とする。
【００２０】
図３は、隔壁部１４を変形させて、隔壁部１４を案内部材１２に近接させた第２状態を示す口枠１０の平面図である。この図３に示すように、隔壁部１４を第２状態とするには、まず、図２において、支点部１４ｄを、胴体部２の正面側に向けて押圧する。支点部１４ｄが押圧されると、案内部材１２のうち、係止部１３ａの近傍に形成された溝部１３ｃと、係止部１３ａとの間に位置する部分が、凸部１４ｃに押圧されて変形する。このため、係止部１３ａの付根部に位置する案内溝１３の幅が広くなり、凸部１４ｃが通過可能な程度の幅となり、凸部１４ｃと係止部１３ａとの係合状態が解除される。そして、凸部１４ｃは、案内溝１３に沿って移動して、係止部１３ｂと係合し、隔壁部１４は、第２状態となる。係止部１３ｂも係止部１３ａと同様に構成されており、係止部１３ｂと凸部１４ｃとの係合状態は、良好に維持される。この際、脚部１４ａは、案内部材１２に沿うように変形すると共に、案内部材１２の下面側に延在する。
【００２１】
このように、隔壁部１４が変形すると、図３に示されるように、支点部１４ｄは、案内部材１２の先端部と当接または近接し、案内部材１２間の隙間を閉塞するように位置する。
【００２２】
このため、収納領域Ｐ１は、案内部材１２と、隔壁部１４と、周壁部１１とにより区画されることとなり、図２に示された収納領域Ｐ２は、収納領域Ｐ４や、収納領域Ｐ３に組み込まれる。
【００２３】
ここで、パターは、既に抜かれているため、図２において、収納領域Ｐ１および収納領域Ｐ２内には、ウッドのみが収納されている。このため、図３に示すように、収納領域Ｐ２を他の収納領域Ｐ３、Ｐ４に組み込み、ウッドを収納領域Ｐ１において収納することとしても、何等問題は生じない。特に、収納領域Ｐ１の収納容量は、ウッドを収納可能な程度とされているため、良好に、収納領域Ｐ１に収納されたウッドを抜き差しすることができる。
【００２４】
さらに、隔壁部１４を第２状態とすることにより、収納領域Ｐ２が、収納領域Ｐ３および収納領域Ｐ４に組み込まれ、収納領域Ｐ３の収納容量と収納領域Ｐ４の収納容量とは、いずれも、隔壁部１４が第１状態のときと比べて大きくなり、ゴルフクラブの密集状態が緩和される。
【００２５】
このため、収納領域Ｐ３および収納領域Ｐ４内に収納されたゴルフクラブの抜き差しを良好に行うことができる。すなわち、本実施の形態１に係るゴルフバッグ１によれば、パターを収納した状態で、ゴルフバッグ１を持ち運びする際においては、各ゴルフクラブが損傷することを抑制することができる一方で、ゴルフバッグ１が乗用カート等に乗せられて、パターが抜き取られた後においては、隔壁部１４を第２状態とすることにより、良好にゴルフバッグ１内のゴルフクラブの抜き差しを行うことができる。
【００２６】
さらに、支点部１４ｄを押圧するというワンタッチ動作で、パターが収納されていた収納領域Ｐ２を他の収納領域Ｐ３、Ｐ４に組み込むことができるので、コース周回中においても、パターを差し替えた際に、瞬時に、収納領域Ｐ３、Ｐ４の収納容量を大きくして、ゴルフクラブの抜き差しを容易にすることができる。
【００２７】
なお、図１において、胴体部２は、その内部に筒状の本体を有しており、口枠１０は、この筒状の本体の開口部に設けられている。そして、図２において、隔壁部１４の脚部１４ａおよび支点部１４ｄを覆うと共に、垂下し、筒状の本体の底面に接続された布製の仕切りを設けてもよい。さらに、仕切り部材１５を覆うと共に、垂下して、上記筒状の本体の底部に接続された布製の仕切りをさらに設けてもよい。さらに、脚部１４ａにも、同様の仕切りを設けても良い。このような仕切りを設けることにより、胴体部２の下端部側においても、各ゴルフクラブを各収納領域Ｐ１、Ｐ３、Ｐ４、Ｐ５内に収納することができる。
【００２８】
また、隔壁部１４は、上記構成に限られない。たとえば、図４は、口枠１０の変形例を示す平面図であり、隔壁部１４の第１状態を示すものであり、図５は、隔壁部１４が第２状態における口枠１０の平面図である。図４に示されるように、この口枠１０は、案内部材１２と、この案内部材１２に連設され、周壁部１１の内周壁に固定された仕切り部材１６と、両端部が案内部材１２の係止部１３ａに係合する隔壁部１４と、仕切り部材１５とを備えている。
【００２９】
この隔壁部１４は、案内部材１２のみに支持されており、支点部１４ｄと、この支点部１４ｄに接続された脚部１４ａとから構成されている。このため、収納領域Ｐ３は、案内部材１２と、仕切り部材１６と、周壁部１１とにより規定されている。このため、図５に示すように、図４に示す収納領域Ｐ２が全て収納領域Ｐ４に組み込まれることとなる。このため、図４において、収納領域Ｐ２に収納されていたパターを抜き取った後、図５に示すように、隔壁部１４を第２状態とすることにより、収納領域Ｐ４内に収納されたゴルフクラブの抜き差しを非常に良好に行うことができる。
【００３０】
ここで一般に、収納領域Ｐ４に収納されたアイアンは、コース上において、複数本抜き差しされることが多い。その一方で、このゴルフバッグ１によれば、隔壁部１４を第１状態から第２状態とすることにより、収納領域Ｐ２の全ての領域を収納領域Ｐ４に組み込むことで、収納領域Ｐ４の収納容量を大きくすることができ、良好にアイアンの抜き差しを行うことができる。
【００３１】
なお、このゴルフバッグにおいては、隔壁部１４を第１状態から第２状態にすることにより、パター以外のゴルフクラブが収納される収納領域Ｐ３、Ｐ４、Ｐ５のいずれにおいても、収納容量が小さくなることはない。また、本実施の形態１に係るゴルフバッグ１においては、ウッドが収納される収納領域Ｐ１を区画する案内部材１２に変形可能な隔壁部１４を設けることとしているが、これに限られない。たとえば、収納領域Ｐ５を規定する仕切り部材１５の一部を変形可能な隔壁部１４としてもよい。
【００３２】
（実施の形態２）
図６および図７と必要に応じて上記図１から図５とを用いて、本実施の形態２に係るゴルフバッグについて、説明する。なお、上記実施の形態１に係るゴルフバッグ１と同様の構成については、同一の符号を付して、その説明を省略する。図６は、本実施の形態２に係るゴルフバッグに設けられる口枠１０の平面図であり、隔壁部１４の第１状態を示した平面図である。この図６に示されるように、口枠１０は、周壁部１１と、この周壁部１１に固定され、収納領域Ｐ１を区画する仕切り部材１８と、この仕切り部材１８と周壁部１１とに固定された仕切り部材１７と、この仕切り部材１７より図１に示す胴体部２の背面側に配置され、周壁部１１に固定された仕切り部材１５と、隔壁部１４と、隔壁部１４の少なくとも一部を案内する案内溝１９を有する案内部材２０とを備えている。
【００３３】
仕切り部材１８は、周壁部１１のうち、図１に示す胴体部２の正面側に設けられており、周壁部１１と共にウッド等が収納される収納領域Ｐ１を区画する。仕切り部材１７は、仕切り部材１８と周壁部１１と共に、ウッド等が収納される収納領域Ｐ３を区画する。仕切り部材１７は、両端部が周壁部１１に固定されると共に、その中央部で仕切り部材１８にも固定されているため、収納領域Ｐ３は、収納領域Ｐ１の両側に形成される。仕切り部材１５は、仕切り部材１７より、図１に示す胴体部２の前面側に配置されており、その両端部は、周壁部１１に固定されている。そして、この仕切り部材１５は、仕切り部材１７と周壁部１１と共に、アイアン等が収納される収納領域Ｐ４を区画する。
【００３４】
案内部材２０は、周壁部１１のうち、図１に示す胴体部２の背面側に位置する部分に形成されており、案内溝１９も、周壁部１１の内周部１１ａに沿うように延在している。案内溝１９の両端部には、係止部１９ａ、１９ｂが形成されており、各案内溝１９に形成された各係止部１９ａは、案内溝１９同士が最も近接した部分に形成されており、各係止部１９ｂは、案内溝１９同士が最も離間した部分に形成されている。なお、本実施の形態２においては、案内部材２０が２箇所に形成されているが、これに限られず、少なくとも、２つの案内溝１９が、周壁部１１の内周部１１ａに沿う方向に延在しておればよい。
【００３５】
隔壁部１４は、支点部１４ｄと、この支点部１４ｄに形成され、周壁部１１に向けて延在する脚部１４ａと、この脚部１４ａの先端部に形成された凸部１４ｃとを備えている。凸部１４ｃは、案内溝１９と係合すると共に、案内溝１９内を移動可能とされており、また、係止部１９ａ，１９ｂにおいて、係止可能とされている。そして、各凸部１４ｃが、それぞれ、係止部１９ａに係止されているときには、隔壁部１４は、周壁部１１の内周部１１ａから口枠１０の内方に向けて膨出するように、湾曲している。このように、隔壁部１４の第１状態においては、隔壁部１４は、周壁部１１から膨出した状態とされており、周壁部１１と共に、パター等が収納される収納領域Ｐ２を区画する。この収納領域Ｐ２は、収納領域Ｐ５よりも、図１に示す胴体部２の背面側に位置している。
【００３６】
この収納領域Ｐ２に、たとえば、ヘッドが大型化されたパター等を収納することにより、パターのヘッドが他のゴルフクラブのヘッドと接触することを抑制することができる。
【００３７】
図７は、隔壁部１４が第２状態における口枠１０の平面図である。この図７に示されるように、各凸部１４ｃは、各案内溝１９の係止部１９ｂに係止している。そして、脚部１４ａは、周壁部１１の内周部１１ａに沿うように変形しており、支点部１４ｄは、周壁部１１の内周部１１ａに近接している。このため、図６に示すような第１状態の隔壁部１４よって区画される収納領域Ｐ２は、隔壁部１４が第２状態となることにより、収納領域Ｐ５に組み込まれることとなり、収納領域Ｐ５の収納容量が大きくなる。このため、収納領域Ｐ５に収納されていた、ショートアイアンや、ウェッジ等の抜き差しを容易に行うことができる。すなわち、本実施の形態１に係るゴルフバッグ１と同様の作用・効果を得ることができる。
【００３８】
ここで、隔壁部１４を第１状態から第２状態に変形する際には、既にパターが収納領域Ｐ２から抜き出されており、この隔壁部１４より、周壁部１１側には、ゴルフクラブが存在しないものとなっている。このため、隔壁部１４を第１状態から第２状態に変形する際に、収納されているゴルフクラブに衝撃力が加えられることが抑制することができ、隔壁部１４を変形する際においても、ゴルフクラブ同士が衝突することを抑制することができる。なお、本実施の形態２に係るゴルフバッグにおいても、上記実施の形態１に係るゴルフバッグ１と同様に、ワンタッチ動作で、隔壁部１４を変形することができ、上記実施の形態１に係るゴルフバッグ１と同様の効果を得ることができる。
【００３９】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００４０】
本発明は、ゴルフバッグに好適である。
【図面の簡単な説明】
【００４１】
【図１】実施の形態１に係るゴルフバッグの正面図である。
【図２】開口部に設けられた口枠の平面図である。
【図３】隔壁部を変形させて、隔壁部を案内部材に近接させた第２状態を示す口枠の平面図である。
【図４】口枠の変形例を示す平面図であり、隔壁部の第１状態を示すものである。
【図５】隔壁部が第２状態における口枠の平面図である。
【図６】実施の形態２に係るゴルフバッグに設けられる口枠の平面図である。
【図７】隔壁部が第２状態における口枠の平面図である。
【符号の説明】
【００４２】
１  ゴルフバッグ、２  胴体部（本体）、３  肩掛けベルト、１０  口枠、１１ａ  内周部、１１  周壁部、１２  案内部材、１３ａ，１３ｂ  係止部、１３  溝部、１４  隔壁部、Ｐ１、Ｐ２、Ｐ３、Ｐ４、Ｐ５  収納領域。
【図１】
0004464347.tif 000002
【図２】
0004464347.tif 000003
【図３】
0004464347.tif 000004
【図４】
0004464347.tif 000005
【図５】
0004464347.tif 000006
【図６】
0004464347.tif 000007
【図７】
0004464347.tif 000008